(57)【要約】【課題】簡単に取付けることのできる木質系の手摺り棒、およびそれを用いて見栄えのよい手摺りを提供することをその課題とする。【解決手段】所定長さごとにフィンガージョイントまたはスカーフジョイント結合された単板１１からなる積層材からなる手摺り棒１であって、上記単板１１が高比重木材から構成されるとともに、上記単板１１の繊維方向を揃えて積層接着されたことを特徴とする木質系手摺り棒１、および該木質系手摺り棒１をブラケット２を用いて柱３、４に固定してなる手摺りＡ。【選択図】図２
2005207154.tif 000002
【特許請求の範囲】
【請求項１】
所定長さごとにフィンガージョイントまたはスカーフジョイント結合された単板からなる積層材からなる手摺り棒であって、上記単板が高比重木材から構成されるとともに、上記単板の繊維方向を揃えて積層接着されたことを特徴とする木質系手摺り棒。
【請求項２】
上記所定長さごとにフィンガージョイントまたはスカーフジョイント結合された単板の結合部を長手方向に位相をずらして所定枚数積層した積層材からなる請求項１に記載の木質系手摺り棒。
【請求項３】
請求項１に記載の木質系手摺り棒をブラケットを用いて柱に固定してなる手摺り。
【請求項４】
上記ブラケットの取付け間隔が１５００ｍｍ以内である請求項３に記載の手摺り。
【発明の詳細な説明】
【技術分野】
【０００１】
本発明は、木質系の手摺り棒に関する。さらに、この手摺り棒を用いた手摺りに関する。
【背景技術】
【０００２】
近年高齢化が進むとともに、一般住宅においても壁際に、あるいは階段に沿って手摺りを設けることが多く、暖かい手触り感のある丸棒状の手摺り棒が好んで用いられている。上記手摺り棒は、むくの丸棒あるいは木質系、または、金属、繊維強化プラスチックス、補強用合成樹脂、弾性合成樹脂等からなる複合材系から構成された触手感の柔らかいもの等、種々の手摺り棒が提案されている。
【特許文献１】特開平５−１３３０６４号公報（第１−２頁、第２図）
【特許文献２】登録実用新案第３０１４３８２号公報（第１−２頁、第１〜４図）
【０００３】
上記むくの丸棒あるいは木質系の手摺り棒のうち、むくの丸棒材が高価なことから、多数の細長い木材片を接着剤の存在下に集積し、加熱・加圧して一体化し、丸棒状に形成した木質複合材が使用されることが多い。しかしながら、原料材木の種類やフィンガージョイント部の位置等により強度にバラツキがみられ、安全上あるいは強度を確保する上で、ブラケットの取付け間隔を短くしなければならず、やむを得ず補強材を柱や間柱に架設し、この補強材にブラケットを取付け、取付け間隔を、例えば９００ｍｍ以内と短くして手摺り棒を取付けることが行われている。
【発明の開示】
【発明が解決しようとする課題】
【０００４】
すなわち、本願図３に示すように、柱３や間柱４に補強材６を取付け、補強材６にブラケット７を介して手摺り棒５を固定し、取付け間隔ｄ２を例えば、７５０ｍｍと、比較的短くして施工し、安全性、強度等を確保している。しかしながら、補強材６を柱３や間柱４に取付けるという作業が必要となるため、手間とコストがかかるととともに、手摺り棒５を取付けた後の外観は必ずしもよいものとはいい難い。本発明は、上記した問題を解決し、一般住宅の壁際や階段に沿って、見栄えよく、また、簡単に取付けることのできる木質系の手摺り棒およびそれを用いた手摺りを提供することをその課題とする。
【課題を解決するための手段】
【０００５】
本発明は、上記課題を解決するために考え出されたもので、本願第一発明によれば、所定長さごとにフィンガージョイントまたはスカーフジョイント結合された単板からなる積層材からなる手摺り棒であって、上記単板が高比重木材から構成されるとともに、上記単板の繊維方向を揃えて積層接着されたことを特徴とする木質系手摺り棒が提供される。上記高比重木材としては、アピトン、バンキライ等、熱帯林を構成する重硬で強度の大きい材木が好ましく用いられる。
【０００６】
上記所定長さごとにフィンガージョイントまたはスカーフジョイント結合された単板の結合部を長手方向に位相をずらして所定枚数積層した積層材からなる木質系手摺り棒が提供される。この積層は、４層以上積層されることが好ましい。
【０００７】
本願第二発明によれば、請求項１に記載の木質系手摺り棒をブラケットを用いて柱に直接固定してなる手摺りが提供される。上記ブラケットの取付け間隔は１５００ｍｍ以内、好ましくは１３００ｍｍ以内とされる。
【発明の効果】
【０００８】
請求項１に記載の第一発明にかかる手摺り棒は、上記のとおりであり、とくに、高比重木材からなる単板を、その繊維方向を揃えて積層接着された積層材から丸棒状に形成されているため、強度に優れ、簡単に折れたり、ブラケットから外れることがなく、補強材を使用せずに、ブラケットにより柱や間柱に直接取付けることができる。
【０００９】
上記所定長さごとにフィンガージョイントまたはスカーフジョイント結合された単板の結合部を長柄方向に位相をずらして所定枚数積層した積層材からなる木質系手摺棒であるため、略天然木と同様の外見および暖かい触手感を得ることができる。
【００１０】
請求項３に記載の第二発明にかかる手摺りは上記のとおりであり、とくに、木質系手摺り棒を、ブラケットを用いて柱に直接固定してなるため、ブラケット回りをスッキリとすることが可能となり、見栄えのよい手摺りとすることができる。
【００１１】
上記ブラケットの取付け間隔が１５００ｍｍ以内とされているため、取付け間隔を長くすることが可能となり、ブラケット数を削減することができるとともに、補強材を使用することなく、簡単に作業性よく手摺りを取付けることができる。
【発明を実施するための最良の形態】
【００１２】
以下、本発明の実施形態について図面を参照して、詳細に説明する。図１は、アピトン、バンキライ等の高比重木材の単板１１を接着してなる積層材から、第一発明にかかる丸棒状の手摺り棒１を切り出して形成する状態を示す説明図である。図１からよくわかるように、該積層材は、上記単板１１を繊維方向を揃えて所定長さごとにフィンガージョイントし、各結合部１２を長手方向に位相をずらして積層している。したがって、外見上は天然木と略同様であり、また、触手感の暖かい手摺り棒とすることができる。
【００１３】
図２は、上記手摺り棒１を、階段に沿って柱３と間柱４とにブラケット２を用いて直接固定してなる第二発明にかかる手摺りＡを示す正面図である。図２からよくわかるように、強度的に優れた手摺り棒１を用いているため、図３におけるような補強材６を必要とせず、ブラケット２によって柱３や間柱４に直接取付けることができる。その結果、ブラケット２の間隔ｄ１を大きくすることができるとともに、その数を削減することが可能となり、さらに、ブラケット２回りがスッキリとなるため、見栄えのよい手摺りＡとすることができる。なお、ブラケット２を内壁用の化粧板（図示せず）を介して柱３や間柱４に取り付けてもよいことは当然である。
【図面の簡単な説明】
【００１４】
【図１】第一発明にかかる手摺り棒を形成する状態を示す説明図である。
【図２】第二発明にかかる手摺りを示す正面図である。
【図３】公知の手摺りを示す正面図である。
【符号の説明】
【００１５】
１          第一発明にかかる手摺り棒
１１        手摺り棒を構成する高比重材木の単板
１２        フィンガージョイント結合部
２          ブラケット
３          柱
４          間柱
Ａ          第二発明にかかる手摺り
Ｂ          公知の手摺り
５          手摺り棒
６          補強板
７          ブラケット
【図１】
2005207154.tif 000003
【図２】
2005207154.tif 000004
【図３】
2005207154.tif 000005